(57)【要約】  供給される映像信号をハイフレームレート化する手段１と、ハイフレームレート化された映像信号の２以上のフレームを１つの組として、この組の個々のフレームではそれぞれ画面の一部の領域のみで映像が表示され、且つこの組の全てのフレームを合せることによって画面の全ての領域で映像が表示されるように、この組の個々のフレームにおける映像の非表示領域を指定する手段２と、ハイフレームレート化された映像信号の個々のフレームについて、手段２によって指定された非表示領域をマスキングする手段３と、手段３によってマスキングされた映像信号を表示させるように表示手段６を駆動する手段４とを備える。これにより、著作権によって保護された映像データ等の再撮を、低コストで防止する。
2007094351.tif 000002
【特許請求の範囲】
【請求項１】
供給される映像信号から補間フレームを生成することにより、前記映像信号をハイフレームレート化するフレームレート変換部と、
前記フレームレート変換部によってハイフレームレート化された映像信号の２以上のフレームを１つの組として、前記組の個々のフレームではそれぞれ画面の一部の領域のみで映像が表示され、且つ前記組の全てのフレームを合せることによって画面の全ての領域で映像が表示されるように、前記組の個々のフレームにおける映像の非表示領域を指定する領域指定部と、
前記フレームレート変換部によってハイフレームレート化された映像信号の個々のフレームについて、前記領域指定部によって指定された非表示領域をマスキングするマスキング部と、
表示手段を駆動して、前記マスキング部によってマスキングされた映像信号を表示させる表示駆動部と
を備えたことを特徴とする表示制御装置。
【請求項２】
請求項１に記載の表示制御装置において、
前記領域指定部は、前記フレームレート変換部によってハイフレームレート化された映像信号の２つのフレームを１つの組として、前記組の一方のフレームと残りの一方のフレームとで映像の非表示領域と表示領域とが互いに入れ替わるように指定する
ことを特徴とする表示制御装置。
【請求項３】
請求項１に記載の表示制御装置において、
前記領域指定部は、前記フレームレート変換部によってハイフレームレート化された映像信号の連続するフレームを、互い違いに別々の前記組のフレームとして選択し、且つ、該別々の組のフレームに、互いに異なる形状の非表示領域を指定する
ことを特徴とする表示制御装置。
【請求項４】
請求項１に記載の表示制御装置において、
前記領域指定部は、前記フレームレート変換部によってハイフレームレート化された映像信号の連続するフレームより時間的に離間した飛び飛びのフレームを同じ前記組の少なくとも１つのフレームとして選択するとともに、前記飛び飛びのフレームの間のフレームについては映像の非表示領域を指定しない
ことを特徴とする表示制御装置。
【請求項５】
請求項１に記載の表示制御装置において、
前記表示駆動部は、前記マスキング部によってマスキングされた映像信号の各フレームを、非周期的な時間間隔で表示させるように前記表示手段を駆動する
ことを特徴とする表示制御装置。
【請求項６】
請求項１に記載の表示制御装置において、
前記領域指定部は、前記供給される映像信号が著作権によって保護されていることを示す情報が与えられた場合に映像の非表示領域を指定し、前記情報が与えられない場合には映像の非表示領域を指定しない
ことを特徴とする表示制御装置。
【請求項７】
供給される映像信号から補間フレームを生成することにより、前記映像信号をハイフレームレート化する第１のステップと、
前記第１のステップでハイフレームレート化した映像信号の２以上のフレームを１つの組として、前記組の個々のフレームではそれぞれ画面の一部の領域のみで映像が表示され、且つ前記組の全てのフレームを合せることによって画面の全ての領域で映像が表示されるように、前記組の個々のフレームにおける映像の非表示領域を指定する第２のステップと、
前記第１のステップでハイフレームレート化した映像信号の個々のフレームについて、前記第２のステップで指定した非表示領域をマスキングする第３のステップと、
表示手段を駆動して、前記第３のステップでマスキングした映像信号を表示させる第４のステップと
を有することを特徴とする表示制御方法。
【発明の詳細な説明】
【技術分野】
【０００１】
本発明は、著作権保護された映像データなどが、映像が表示されている画面を再度撮影することによって不正にコピーされることを防止するための表示制御装置及び表示制御方法に関する。
【背景技術】
【０００２】
ビデオテープや光ディスクやハードディスクに記録される映像データは、アナログデータであればコピーする度に劣化したが、デジタルデータの場合は誤り訂正などが可能なために無劣化でコピーすることが可能である。そのために、ＤＶＤのようなパッケージメディアとして提供される映像コンテンツや、ネットワーク経由で配信される映像コンテンツや、デジタル放送などのデジタル映像データに関しては、特に厳しい著作権保護が適用されることが多い。【０００３】
著作権保護方法としては、データの保存時や通信時には暗号化しておき、たとえデータを入手しても鍵がなければ復号できなくする方法や、電子透かしをデータに付加しておき、たとえデータが利用されてもそのデータの出所を主張できるようにする方法がある。【０００４】
しかしながら、映像が表示されている画面をＣＣＤカメラ等の撮像装置で再度撮影（以下、「再撮」と呼ぶ）して記録するという方法により、著作権保護された映像データが不正にコピーされることもある。【０００５】
従来、ブラウン管ではアナログ放送波の信号に沿って一つのフレームで電子ビームを水平、垂直に順次走査して表示しており、ＣＣＤカメラで撮影するとビーム走査に従って一つのフレームが水平方向に同じ輝度の波面が垂直方向に波打つように見えるが、その周期的な波を気にしなければ再撮により映像を入手することができる。映写機においてはフィルムを光源で投影していたため、フィルムの表示フレーム数（２４ｐ）とＣＣＤカメラの撮像フレーム数のタイミングのずれによってコマ落ちすることはあっても映像を撮影して入手することができる。また、液晶ディスプレイやプラズマディスプレイでは、全画面同時に発光させている場合には映写機と同様に撮影され、バックライトなどを順次発光させている場合にはブラウン管と同様に波を打ったように撮影されるため、上記同様に再撮により映像を入手することができる。【０００６】
そのため、暗号化によりデータを保護する方法では、たとえシステムの内部では保護されていても映像が一度表示されてしまうと保護することはできない。特に、デジタル放送などの映像はアナログに比べて高解像度できれいな映像であるが、ＣＣＤカメラの撮像性能も高くなっているために、画質をあまり劣化させずに映像を複製することができてしまう。【０００７】
また、電子透かしにより保護する方法では、上記のように再撮された場合には周期的に波を打ったような映像になったり、コマ落ちがあったり、また撮影する角度や距離によっては大きさも変化してしまうことにより、元の完全なデジタルデータが得られるわけではない。そのため、映像の周波数成分などに含めた電子透かしは失われてしまい、電子透かしを検出することが困難となる。【０００８】
このように、著作権保護方法としては、データを暗号化しておく方法や、電子透かしを付加する方法は、再撮に対しては脆弱である。【０００９】
そこで、従来、例えば、表示する映像に赤外線もしくは紫外線による電子透かしを加えて提示し、人間には不可視だが、ＣＣＤカメラ等の撮像装置で再撮した場合にのみ電子透かしが可視となる方法が提案されている（特許文献１）。しかし、この方法では、赤外線や紫外線によって著作権情報を提示する装置が必要となり、表示装置の価格が高価格となってしまうので、再撮に対する映像の著作権保護を低価格に行なうことは困難である。【００１０】
【特許文献１】特開２００５−２６７５９号公報（段落番号００２４、図３）
【発明の開示】
【００１１】
本発明は、上述の点に鑑み、著作権保護された映像データなどの再撮を、低コストで防止できるようにすることを課題とする。
【００１２】
上記課題を解決するために、本発明に係る表示制御装置は、供給される映像信号から補間フレームを生成することにより、この映像信号をハイフレームレート化するフレームレート変換部と、このフレームレート変換部によってハイフレームレート化された映像信号の２以上のフレームを１つの組として、この組の個々のフレームではそれぞれ画面の一部の領域のみで映像が表示され、且つこの組の全てのフレームを合せることによって画面の全ての領域で映像が表示されるように、この組の個々のフレームにおける映像の非表示領域を指定する領域指定部と、このフレームレート変換部によってハイフレームレート化された映像信号の個々のフレームについて、この領域指定部によって指定された非表示領域をマスキングするマスキング部と、表示手段を駆動して、このマスキング部によってマスキングされた映像信号を表示させる表示駆動部とを備えたことを特徴とする。
【００１３】
また、本発明に係る表示制御方法は、供給される映像信号から補間フレームを生成することにより、この映像信号をハイフレームレート化する第１のステップと、この第１のステップでハイフレームレート化した映像信号の２以上のフレームを１つの組として、この組の個々のフレームではそれぞれ画面の一部の領域のみで映像が表示され、且つこの組の全てのフレームを合せることによって画面の全ての領域で映像が表示されるように、この組の個々のフレームにおける映像の非表示領域を指定する第２のステップと、この第１のステップでハイフレームレート化した映像信号の個々のフレームについて、この第２のステップで指定した非表示領域をマスキングする第３のステップと、表示手段を駆動して、この第３のステップでマスキングした映像信号を表示させる第４のステップとを有することを特徴とする。
【００１４】
本発明によれば、供給される映像信号がハイフレームレート化される。そして、このハイフレームレート化された映像信号の２以上のフレームを組として、１つの組の個々のフレームではそれぞれ画面の一部の領域のみで映像が表示され、且つ１つの組の全てのフレームを合せることによって画面の全ての領域で映像が表示されるように、１つの組の個々のフレームにおける映像の非表示領域が指定される。そして、ハイフレームレート化された映像信号の各組のフレームについてこの指定された非表示領域がマスキングされ、表示手段が駆動されてこのマスキングされた映像信号が表示される。
【００１５】
このようにして表示手段に表示される映像を人間の目で見た場合、ハイフレームレート化されているので、人間の視覚特性である残像の影響により、１つの組の個々のフレームの映像（非表示領域がある映像）が区別して認識されることはなく、１つの組の全てのフレームを合せた映像、すなわち非表示領域のない完全な映像として認識される。
【００１６】
しかし、この表示手段の画面をＣＣＤカメラ等の撮像装置で再撮した場合には、映像信号のフレームレートと撮像装置のシャッタースピードとの関係や、映像信号のフレームと撮像装置の撮像フレームとのタイミングのずれから、１つの撮像フレーム内に、１つの組の一部のフレームのみの映像、すなわち非表示領域のある映像が撮影されるようになる。
【００１７】
したがって、再撮して記録した映像を表示した場合に、映像が見にくくなるので、映像データをコピーするために再撮を行う意味がなくなり、再撮を防止することができる。また、前出の特許文献１に記載の方法と異なり、赤外線等によって著作権情報を提示する装置は必要なく、ハイフレームレート化や非表示領域の指定やマスキングという信号処理のみによって実現できるので、低コストで再撮を防止することができる。
【００１８】
本発明によれば、著作権によって保護された映像データ等の再撮を、低コストで防止できるという効果が得られる。
【図面の簡単な説明】
【００１９】
【図１】本発明の一実施形態に係る表示装置の主要部の構成例を示すブロック図である。
【図２】６０ｆｐｓの映像信号をハイフレームレート化する例を示す図である。
【図３】同じ組の相互補完フレームにおける非表示領域及び表示領域の形状を例示する図である。
【図４】同じ組の相互補完フレームの選択方法を例示する図である。
【図５】映像信号のフレームレートとＣＣＤカメラのシャッタースピードとの関係を例示する図である。
【図６】表示駆動回路による表示タイミングの決定方法を例示する図である。
【図７】図１の表示装置の各部の概略を示す図である。
【図８】相互補完フレームの変更例を示す図である。
【発明を実施するための最良の形態】
【００２０】
以下、本発明の実施の形態を、図面を用いて具体的に説明する。図１は、本発明を適用した表示装置の主要部の構成例を示すブロック図である。この表示装置は、ＤＶＤのようなパッケージメディアを再生して映像を表示するものであってもよいし、ネットワーク経由で配信される映像コンテンツを受信して映像を表示するものであってもよいし、テレビジョン受像機であってもよいが、本発明に関連する構成要素として、フレームレート変換部１と、領域指定部２と、マスキング回路３と、表示駆動回路４と、タイマ５と、液晶ディスプレイ６とが設けられている。フレームレート変換部１は、供給される映像データを複数フレーム分記憶するためのバッファメモリ７と、補間フレーム生成部８と、補間フレームを複数フレーム分記憶するためのバッファメモリ９とを含んでいる。【００２１】
フレームレート変換部１には、所定のフレームレートの映像信号（ＤＶＤから再生したり、ネットワーク経由で受信したり、デジタル放送信号から周波数選択・復調・デスクランブル・多重分離・復号したもの）が１フレーム分ずつ入力して、バッファメモリ７に順次記憶されるとともに、補間フレーム生成部８に供給される。【００２２】
補間フレーム生成部８は、供給された複数のフレームを補間した補間フレームを生成して、生成した補間フレームをバッファメモリ９に順次記憶させる。そして、バッファメモリ７から隣り合う２つのフレームの映像データを読み出す間に、その２つのフレーム間に挿入すべき補間フレームをバッファメモリ９から読み出すことにより、入力された映像信号の所定のフレームレートより高いフレームレートに変換されたハイフレームレート化した映像信号がフレームレート変換部１から出力される。【００２３】
なお、ハイフレームレート化のための補間フレームの生成方法としては、圧縮映像信号を復号する復号部（図示略）が生成した動きベクトル情報を利用して補間ベクトルを生成し、その補間ベクトルを用いて補間フレームを生成する方法等が公知であるので、補間フレーム生成部８でもそうした公知の方法を用いてよい。【００２４】
図２は、６０ｆｐｓ（フレーム／秒）の映像信号をハイフレームレート化した例を示す図である。図２Ａに示すように、６０ｆｐｓの映像信号では、動画ボケを改善するために、１フレーム期間（１０００／６０ミリ秒）中に1回ずつの点灯期間（Ｔｕａ〜Ｔｄａ）及び消灯期間（Ｔｄａ〜Ｔｕａ’）を設けている。この６０ｆｐｓの映像信号を１２０ｆｐｓにハイフレームレート化する場合には、図２Ｂに示すように、６０ｆｐｓの１フレームを２つのフレームに細分化して、その細分化した１フレーム毎に1回ずつの点灯期間（Ｔｕｂ〜ＴｄｂやＴｕｃ〜Ｔｄｃ）及び消灯期間（Ｔｄｂ〜ＴｕｃやＴｄｃ〜Ｔｕｂ’）を設ける。２４０ｆｐｓ，４８０ｆｐｓにハイフレームレート化する場合も、図２Ｃ，図２Ｄに示すように、６０ｆｐｓの１フレームをそれぞれ３つ，４つのフレームに細分化して、その細分化した１フレーム毎に1回ずつの点灯期間及び消灯期間を設ける。【００２５】
ここでは、フレームレート変換部１は、図２Ｃに示したように６０ｆｐｓの映像信号を２４０ｆｐｓにハイフレームレート化するものとして説明を続ける。【００２６】
図１に示すように、フレームレート変換部１からは、ハイフレームレート化された２４０ｆｐｓの映像信号が領域指定部２，マスキング回路３にそれぞれ供給される。また、フレームレート変換部１に供給される映像信号が著作権によって保護されている場合、領域指定部２には、その旨を示す著作権保護情報が与えられる。この著作権保護情報は、ＤＶＤのようなパッケージメディアに記録されている場合にはそこから再生して領域指定部２に供給すればよい。また、ネットワーク経由で配信される映像コンテンツに付加されている場合や、デジタル放送信号のデータパケットに含まれている場合や、そこから取り出して領域指定部２に供給すればよい。【００２７】
領域指定部２は、フレームにおける画面の映像表示に係る領域を指定する。領域指定部２は、例えばマイクロプセッサから成っており、本実施の形態においては、著作権保護情報が与えられた場合には、次の（ａ）及び（ｂ）のような方法によって映像の非表示領域を指定する。他方、著作権保護情報が与えられない場合は、このような非表示領域の指定を行わない。【００２８】
（ａ）２４０ｆｐｓにハイフレームレート化された映像信号の２つのフレームを、１つの組として選択する（どのような時間的位置関係の２つのフレームを１つの組として選択するかについては、後述する）。【００２９】
（ｂ）各組について、一方のフレームでは画面の一部の領域のみで映像が表示され、残りの一方のフレームでは逆にこの一部の領域以外の領域のみで映像が表示されるように、すなわち、一方のフレームと残りの一方のフレームとで映像の非表示領域と表示領域とが互いに入れ替わり、２つのフレームを合せることによって画面の全ての領域で映像が表示されるように、個々のフレームにおける映像の非表示領域を指定する。なお、以下では、同じ組の２つのフレームを、「相互補完フレーム」と呼ぶことにする。【００３０】
図３Ａ〜図３Ｅは、上記（ｂ）の段階で各組の相互補完フレームについて指定する非表示領域（斜線部分）及び表示領域（白地部分）の形状をそれぞれ例示する図である。【００３１】
次に、上記（ａ）の段階で、どのような時間的位置関係の２つのフレームを１つの組として（相互補完フレームとして）選択するかについて説明する。図４Ａ〜図４Ｃは、それぞれこの選択方法を、上記（ｂ）の段階で指定する非表示領域（斜線部分）及び表示領域（白地部分）とともに例示する図である。【００３２】
図４Ａの方法では、ハイフレームレート化された２４０ｆｐｓの映像信号の隣り合う２つずつの連続するフレームＦ１及びＦ２，Ｆ３及びＦ４，…を、それぞれ相互補完フレームとして選択している。（隣り合う相互補完フレームには、互いに異なる形状の非表示領域を指定している。）【００３３】
図４Ｂの方法では、ハイフレームレート化された２４０ｆｐｓの映像信号の連続する４つのフレーム毎に、フレームＦ１及びＦ３を相互補完フレームとし、フレームＦ２及びＦ４とを相互補完フレームとし、…というように、互い違いに別々の相互補完フレームとして選択している。（この別々の相互補完フレームには、互いに異なる形状の非表示領域を指定している。）【００３４】
図４Ｃの方法では、ハイフレームレート化された２４０ｆｐｓの映像信号の１つおきの飛び飛びのフレームＦ１及びＦ３，Ｆ５及びＦ７，…を、それぞれ相互補完フレームとして選択し、隣り合う相互補完フレームには、互いに異なる形状の非表示領域を指定している。また、相互補完フレームとして選択した飛び飛びのフレームの間のフレームＦ２，Ｆ４，Ｆ６，…には、映像の非表示領域を指定していない。すなわち、ハイフレームレート化された映像信号の連続するフレームより時間的に離間した飛び飛びのフレームを同じ組の少なくとも１つのフレームとして選択するとともに、この飛び飛びのフレームの間のフレームについては映像の非表示領域を指定しない。【００３５】
このうち、図４Ｂや図４Ｃの方法では、図４Ａの方法と比較して、同じ組の相互補完フレームのうちの一方のフレームと残りの一方のフレームとの時間的間隔が大きくなる。したがって、例えば図５にＳＰ１として示すように、ＣＣＤカメラのシャッタースピード（電子シャッタによる信号電荷の掃き出し後の電荷の蓄積時間）が２４０ｆｐｓの映像信号の２つのフレームにまたがるような長さである場合にも、１つの撮像フレーム内に、同じ組の相互補完フレームの映像が両方とも撮影されることを防止する（言い換えれば、同じ組の相互補完フレームのうちの一方のフレームのみの映像、すなわち非表示領域のある映像が撮影されるようにする）ことができる。【００３６】
さらに、図４Ｂの方法において連続する６つのフレーム毎に互い違いに別々の相互補完フレームとして選択したり、図４Ｃの方法において映像信号の２つおきの飛び飛びのフレームをそれぞれ相互補完フレームとして選択すれば、図５にＳＰ２として示すように、ＣＣＤカメラのシャッタースピードが２４０ｆｐｓの映像信号の３つのフレームにまたがるような長さである場合にも、１つの撮像フレーム内に、同じ組の相互補完フレームの映像が両方とも撮影されることを防止することができる。【００３７】
ここでは、領域指定部２は、図４Ｃに例示したように飛び飛びのフレームを相互補完フレームとして選択するものとして説明を続ける。【００３８】
図１に示すように、領域指定部２からは、このようにして指定したフレーム毎の非表示領域を示す領域指定情報が、マスキング回路３に供給される。マスキング部の一例として、マスキング回路３は、この領域指定情報に基づき、フレームレート変換部１から供給される２４０ｆｐｓの映像信号の個々のフレームについて、領域指定部２によって指定された非表示領域をマスキングする。【００３９】
マスキング回路３によってマスキングされた２４０ｆｐｓの映像信号は、表示駆動回路４に供給される。表示駆動部の一例として、表示駆動回路４は、タイマ５から供給される時刻情報に基づき、マスキング回路３からの映像信号の各フレームの映像を表示させるように液晶ディスプレイ６を駆動する。【００４０】
図６Ｂ，Ｃは、２４０ｆｐｓの映像信号のフレームレート（図６Ａ）及びＣＣＤカメラの撮像タイミング（図６Ｄ（ここでは、各撮像タイミングのシャッタースピードを、２４０ｆｐｓの映像信号の１つのフレームにまたがる程度の長さとしている）との関係で、表示駆動回路４が液晶ディスプレイ６に相互補完フレームの映像を表示させるタイミングの決定方法を例示する図である。【００４１】
図６Ｂの方法では、図４Ｃに示したのと全く同じく、２４０ｆｐｓの映像信号の１つおきの飛び飛びのフレームＦ１及びＦ３，フレームＦ５及びＦ７，フレームＦ９及びＦ１１，フレームＦ１３及びＦ１５，…を、それぞれ相互補完フレームとして選択することにより、相互補完フレーム中の各フレームＦ１，Ｆ３，Ｆ５，Ｆ７，Ｆ９，Ｆ１１，Ｆ１３，Ｆ１５…を、周期的な時間間隔（１２０ｆｐｓのフレームレート）で表示させている。【００４２】
他方、図６Ｃの方法では、何フレームおきの飛び飛びのフレームを相互補完フレームとして選択するかという周期を毎回０フレーム〜２フレームの間に周期的に決定することにより、２４０ｆｐｓの映像信号のフレームＦ１及びＦ２，フレームＦ４及びＦ７，フレームＦ８及びＦ１０，フレームＦ１３及びＦ１４，…をそれぞれ相互補完フレームとして選択している。（相互補完フレームとして選択した飛び飛びのフレームの間のフレームＦ３，Ｆ５，Ｆ６，Ｆ９，Ｆ１１，Ｆ１２，Ｆ１５，…には映像の非表示領域を指定していない）。これにより、相互補完フレーム中の各フレームＦ１，Ｆ２，Ｆ４，Ｆ７，Ｆ８，Ｆ１０，Ｆ１３，Ｆ１４…を、非周期的な時間間隔（１／２４０秒，１／１２０秒，１／８０秒の中から毎回ランダムに決定される時間間隔）で表示させている。【００４３】
ここで、図６Ｂの方法では、図６Ｄに実線で描いているようにＣＣＤカメラ等の撮像装置の撮像タイミングが相互補完フレームＦ１，Ｆ３，Ｆ５，Ｆ７，…のタイミングと一致した場合には、全ての撮像フレーム内で、相互補完フレームのうちの一方のフレームのみの映像が撮影される（完全な映像が撮影されることはない）。しかし、図６Ｄに破線で描いているように撮像タイミングが相互補完フレーム以外のフレーム（非表示領域の存在しないフレーム）Ｆ２，Ｆ４，Ｆ６，…のタイミングと一致した場合には、全ての撮像フレーム内で完全な映像が撮影されてしまう。【００４４】
これに対し、図６Ｃの方法では、撮像タイミングが相互補完フレーム中のフレームＦ１，Ｆ２，Ｆ４，Ｆ７，Ｆ８，Ｆ１０，Ｆ１３，Ｆ１４…のタイミングと一致することもあれば相互補完フレーム以外のフレームＦ３，Ｆ５，Ｆ６，Ｆ９，Ｆ１１，Ｆ１２，Ｆ１５，…のタイミングと一致することもあるので、撮像タイミングの如何にかかわらず、相当数の撮像フレーム（確率的には半数程度の撮像フレーム）内で、相互補完フレームのうちの一方のフレームのみの映像が撮影されるようにすることができる。【００４５】
表示駆動回路４は、図６Ｃに示した方法で、２４０ｆｐｓの映像信号の各フレームの映像を液晶ディスプレイ６に表示させる。【００４６】
図７は、以上に説明した図１の表示装置の各部の処理の概略を、フローチャートとして示す図である。供給される映像信号をフレームレート変換部１によってハイフレームレート化し（ステップＳ１）、著作権保護情報が供給された場合、ハイフレームレート化された映像信号について領域指定部２によって相互補完フレームの選択及び非表示領域の指定を行い（ステップＳ２）、相互補完フレームの非表示領域をマスキング回路３によってマスキングする（ステップＳ３）。【００４７】
そして、表示駆動回路４によって図６Ｃに示したように相互補完フレームの表示タイミングを決定しながら（ステップＳ４）、ハイフレームレート化された映像信号の各フレームを液晶ディスプレイ６に表示させる（ステップＳ５）。【００４８】
以上のような処理によってこの表示装置の液晶ディスプレイ６に表示される映像を人間の目で見た場合、ハイフレームレート化されているので、人間の視覚特性である残像の影響により、相互補完フレームのうちの個々のフレームの映像（非表示領域がある映像）が区別して認識されることはなく、相互補完フレームの２つのフレームを合せた映像、すなわち非表示領域のない完全な映像として認識される。また、図６Ｃに示したように、１つの相互補完フレーム中の２つのフレームを表示する時間間隔を最大でも１／８０秒（ハイフレームレート化する前の元の６０ｆｐｓの映像信号において隣り合う２つのフレームが表示される時間間隔である１／６０秒以下）にしているので、その点でも、相互補完フレームのうちの個々のフレームの映像が区別して認識されることはない。【００４９】
しかし、この液晶ディスプレイ６の画面をＣＣＤカメラ等の撮像装置で再撮した場合には、映像信号のフレームレートと撮像装置のシャッタースピードとの関係や、映像信号のフレームと撮像装置の撮像フレームとのタイミングのずれから、１つの撮像フレーム内に、相互補完フレームのうちの１つのフレームのみの映像、すなわち非表示領域のある映像
が撮影されるようになる。【００５０】
特に、図４Ｃを用いて説明したように、相互補完フレームの選択方法として、同じ組の相互補完フレームのうちの一方のフレームと残りの一方のフレームとの時間的間隔が大きくなる方法を採用したので、ＣＣＤカメラのシャッタースピードが長い場合にも、１つの撮像フレーム内に同じ組の相互補完フレームの映像が両方とも撮影されることを防止することができる。【００５１】
さらに、図６Ｃを用いて説明したように、各フレームを非周期的な時間間隔で表示させるので、ＣＣＤカメラの撮像タイミングの如何にかかわらず、相当数の撮像フレーム内で、相互補完フレームのうちの一方のフレームのみの映像が撮影されるようにすることができる。【００５２】
したがって、再撮して記録した映像を表示した場合に、映像が見にくくなるので、著作権によって保護された映像データを不正にコピーするために再撮を行う意味がなくなり、再撮を防止することができる。また、赤外線等によって著作権情報を提示する装置は必要なく、ハイフレームレート化や非表示領域の指定やマスキングという信号処理のみによって実現できるので、低コストで再撮を防止することができる。【００５３】
また、供給される映像信号が著作権によって保護されていない場合（著作権保護情報が与えられない場合）には、領域指定部２において非表示領域の指定が行われないので、通常通りの映像表示を行うことができる。【００５４】
〔変更例〕
最後に、以上に説明した事項に対する変更例を、以下に（１）〜（７）として挙げることにする。【００５５】
（１）前述のように、図４Ｂに示した相互補完フレームの選択方法でも、ＣＣＤカメラのシャッタースピードが長い（映像信号の２以上のフレームにまたがる）場合に、１つの撮像フレーム内に同じ組の相互補完フレームの映像が両方とも撮影されることを防止することができる。また、図４Ａに示した相互補完フレームの選択方法でも、ＣＣＤカメラのシャッタースピードがあまり長くない（映像信号の１つのフレームにまたがる程度である）場合には、１つの撮像フレーム内に同じ組の相互補完フレームの映像が両方とも撮影されることを防止することができる。したがって、領域指定部２において、図４Ａや図４Ｂに示した方法によって相互補完フレームを選択するようにしてもよい。【００５６】
（２）図６Ｂに示したように各フレームを周期的に表示させるように液晶ディスプレイ６を駆動しても、その表示フレームレートと撮像フレームのレートとが一致しない場合には、相当数の撮像フレーム内で、相互補完フレームのうちの一方のフレームのみの映像が撮影されるようになる。したがって、表示駆動回路４において、図６Ｂに示した方法で液晶ディスプレイ６を駆動するようにしてもよい。【００５７】
（３）領域指定部２において、非表示領域の形状を、著作権によって保護されていることを示す文字の形状にしてもよい。【００５８】
（４）領域指定部２に、映像信号の輝度または色を検出する回路や、あるいは画像認識を行う回路を設けて、輝度の高い部分を相互補完フレームのうちの一方のフレームの非表示領域に指定したり、特定の色（例えば肌色）の部分を相互補完フレームのうちの一方のフレームの非表示領域に指定したり、画像認識によって検出した顔の部分を相互補完フレームのうちの一方のフレームの非表示領域に指定してもよい。すなわち、この非表示領域における表示状態は、映像がまったく表示されない状態だけでなく、フレームの画面の一部の領域のみ通常の表示からの変化が識別できる状態としてもよい。【００５９】
（５）領域指定部２において、ハイフレームレート化された映像信号の３以上のフレームを１つの組（相互補完フレーム）として選択して、同じ組の個々のフレームではそれぞれ画面の一部の領域のみで映像が表示され、且つ同じ組の全てのフレームを合せることによって画面の全ての領域で映像が表示されるように、各組の個々のフレームにおける映像の非表示領域を指定してもよい。図８は、３つのフレームを相互補完フレームとして選択して個々のフレームにおける映像の非表示領域（斜線部分）及び表示領域（白地部分）を指定した例を示す。【００６０】
（６）領域指定部２において、著作権保護情報の有無とは無関係に、常に相互補完フレームの選択及び非表示領域の指定を行うようにしてもよい。【００６１】
（７）表示駆動回路４によって駆動するディスプレイ（表示手段）としては、液晶ディスプレイに限らず、部分的な領域の非表示を可能とする適宜の種類のデバイス（例えば、ブラウン管ディスプレイ，プラズマディスプレイ，リアプロジェクションディスプレイ，ＧｘＬ，有機ＥＬディスプレイ等）を用いてよい。
【引用符号の説明】
【００６２】
１  フレームレート変換部、  ２  領域指定部、  ３  マスキング回路、  ４  表示駆動回路、  ５  タイマ、  ６  液晶ディスプレイ、  ７  バッファメモリ、  ８  補間フレーム生成部、  ９  バッファメモリ
【図１】
2007094351.tif 000003
【図２】
2007094351.tif 000004
【図３】
2007094351.tif 000005
【図４】
2007094351.tif 000006
【図５】
2007094351.tif 000007
【図６】
2007094351.tif 000008
【図７】
2007094351.tif 000009
【図８】
2007094351.tif 000010
【国際調査報告】
2007094351.tif 000011
2007094351.tif 000012